(57)【特許請求の範囲】
【請求項１】
奥行方向に配列された物品の手前側の物品を取り上げると、残った物品の配列が手前側に移動するようになっている物品前出し具において、
柔軟性を有する帯状シートの末端部に係止構造を有し、引き出された状態でその上に物品を配列可能な長尺引き出し体と、
前記長尺引き出し体の帯状シートを所定の駆動力で引き出し自在に巻き取るために、帯状シートの基端部が固定されたローラと、
ローラ及び巻き取った帯状シートが収容される本体とを備え、
前記本体内には前記ローラが複数平行に配置され、
各ローラから引き出された前記長尺引き出し体がそれぞれ幅方向で重ならないように、各ローラに対して一又は複数の前記長尺引き出し体が設けられることを特徴とする物品前出し具。
【請求項２】
前記ローラの駆動力を調整する駆動力調整手段が各ローラに設けられる請求項１に記載の物品前出し具。
【請求項３】
前記複数のローラが間隔を有して上下方向に配置される請求項１又は２に記載の物品前出し具。
【請求項４】
本体の背面に幅方向に長尺な開口部が設けられ、該開口部を通って各帯状シートが引き出される請求項１〜３の何れか１項に記載の物品前出し具。
【請求項５】
奥行方向に配列された物品の手前側の物品を取り上げると、残った物品の配列が手前側に移動するようになっている物品前出し具であって、柔軟性を有する帯状シートの末端部に係止構造を有し、引き出された状態でその上に物品を配列可能な長尺引き出し体と、前記長尺引き出し体の帯状シートを所定の駆動力で引き出し自在に巻き取るために、帯状シートの基端部が固定されたローラと、ローラ及び巻き取った帯状シートが収容される本体とを備え、前記本体内には前記ローラが複数平行に配置され、各ローラから引き出された前記長尺引き出し体がそれぞれ幅方向で重ならないように、各ローラに対して一又は複数の前記長尺引き出し体が設けられる物品前出し具が、棚板の手前側で横並びに複数配置されてなることを特徴とする物品配列棚。
【発明の詳細な説明】
【技術分野】
【０００１】
本発明は、奥行方向に配列された物品の手前側の物品を取り上げると、残った物品の配列が手前側に移動するようになっている物品前出し具及び物品配列棚に関し、物品を商品とした例えばコンビニエンスストア等に設置される商品陳列棚に適している。
【背景技術】
【０００２】
従来、奥行方向に配列された商品の手前側の商品を取り上げると、残った商品の配列が手前側に移動し、取り上げた商品の空きスペースを詰めるようになっている商品配列棚として、各種の方式が知られている。例えば、特許文献１には、ベルトの無端回転によって商品の配列を手前側に移動させるベルトコンベア式の商品陳列棚や、傾斜配置させて自重により商品の配列を手前側に移動させるコロコンベア式の商品陳列棚が開示されている。また、特許文献２には、上面に高滑り性能を有する棚板を傾斜配置させて自重により商品の配列を手前側に移動させるスライド式の商品陳列棚が開示されている。また、特許文献３には、バネの付勢力によって商品の配列を手前側に移動させる押し付け方式の商品陳列棚が開示されている。さらに、特許文献４，５には、帯状体（帯状テープや帯状鋼板）の復元力によって商品の配列を手前側に移動させる押し出し方式の商品陳列棚が開示されている。
【先行技術文献】
【特許文献】
【０００３】
【特許文献１】特開平７−１４３９２７号公報
【特許文献２】特開２００７−８２７７９号公報
【特許文献３】特開２００３−２６７５２０号公報
【特許文献４】特開２００５−１１０７４１号公報
【特許文献５】国際公開第ＷＯ２００７／２０７２５号
【発明の概要】
【発明が解決しようとする課題】
【０００４】
しかしながら、特許文献１に開示されたベルトコンベア式の商品陳列棚は、ベルトを無端回転させる駆動力としてモータを用い、電力が必要となるため、製造コストやランニングコストが高くなる。また、特許文献１に開示されたコロコンベア式の商品陳列棚や特許文献２に開示されたスライド式の商品陳列棚は、モータを用いないので製造コストやランニングコストは抑えられるが、コロの回転や棚板の滑りが悪いと、商品が手前側に移動しないことがある。また、駆動力としてバネの付勢力や帯状体の復元力を用いる特許文献３〜５に開示された商品陳列棚は、同じくモータを用いないので製造コストやランニングコストは抑えられるが、付勢力や復元力を適正にコントロールするための機構が複雑となる点、製造コストが高くなるという問題がある。
【０００５】
そこで、本発明は、上記問題に鑑みてなされたもので、電力を要せず、しかも、簡単な構成にして作動が確実な物品前出し具及び物品配列棚を提供することを課題とする。
【課題を解決するための手段】
【０００６】
本発明に係る物品前出し具は、上記課題を解決すべく構成されたもので、奥行方向に配列された物品の手前側の物品を取り上げると、残った物品の配列が手前側に移動するようになっている物品前出し具において、柔軟性を有する帯状シートの末端部に係止構造を有し、引き出された状態でその上に物品を配列可能な長尺引き出し体と、前記長尺引き出し体の帯状シートを所定の駆動力で引き出し自在に巻き取るために、帯状シートの基端部が固定されたローラと、ローラ及び巻き取った帯状シートが収容される本体とを備え、前記本体内には前記ローラが複数平行に配置され、各ローラから引き出された前記長尺引き出し体がそれぞれ幅方向で重ならないように、各ローラに対して一又は複数の前記長尺引き出し体が設けられることを特徴とする。
【０００７】
また、本発明に係る物品配列棚は、奥行方向に配列された物品の手前側の物品を取り上げると、残った物品の配列が手前側に移動するようになっている物品前出し具であって、柔軟性を有する帯状シートの末端部に係止構造を有し、引き出された状態でその上に物品を配列可能な長尺引き出し体と、前記長尺引き出し体の帯状シートを所定の駆動力で引き出し自在に巻き取るために、帯状シートの基端部が固定されたローラと、ローラ及び巻き取った帯状シートが収容される本体とを備え、前記本体内には前記ローラが複数平行に配置され、各ローラから引き出された前記長尺引き出し体がそれぞれ幅方向で重ならないように、各ローラに対して一又は複数の前記長尺引き出し体が設けられる物品前出し具が、棚板の手前側で横並びに複数配置されてなることを特徴とする。
【０００８】
かかる構成によれば、それぞれ長尺引き出し体を引き出し、それぞれの上に物品を配列して使用する。帯状シートの巻き取り方向の移動に伴って手前側に移動する係止構造が物品の配列を手前側に移動させ、そして、手前側の物品が本体に当接することにより、帯状シートのそれ以上の巻き取りが規制され、その状態が維持される。また、手前側の物品を取り上げると、本体と物品との間に空きスペースが発生するが、長尺引き出し体は、この空きスペースを詰めるべく、取り上げた物品の寸法分だけ手前側に移動し、これに伴い、残った物品の配列を手前側に移動させる。従って、物品の配列は常に手前側に寄せられた状態であり、そのため、常に手前側から物品を取り上げることができる。
【０００９】
また、本発明においては、長尺引き出し体及び該長尺引き出し体の帯状シートを巻き取るためのローラの対が複数設けられ、帯状シートに対して巻き取り方向の力を付勢する機構が各ローラに独立して設けられているため、一つの長尺引き出し体の上に配列される物品と他の長尺引き出し体の上に配列される物品とで配列数に違いが生じるようであっても、それぞれ独立的に物品前送り機能を働かせることができる。
【００１０】
ここで、本発明に係る物品前出し具は、ローラの駆動力を調整する駆動力調整手段が各ローラに設けられるのが好ましい。
【００１１】
かかる構成によれば、帯状シートに対して付勢される巻き取り方向の力を調整する手段（駆動力調整手段）が各ローラに独立して設けられているため、各長尺引き出し体において、独立的に適正な力で物品前送り機能を働かせることができる。
【００１２】
また、本発明に係る物品前出し具は、前記複数のローラが間隔を有して上下方向に配置されるよう構成することができる。
【００１３】
かかる構成によれば、ローラを上下に配置することにより、奥行方向のサイズを短縮化することができるため、物品陳列棚の手前側に配置しても目立ちにくく、その分、違和感が無く、従って、物品陳列棚のデザインを全体的に調和させることができる。
【００１４】
また、本発明に係る物品前出し具は、本体の背面に幅方向に長尺な開口部が設けられ、該開口部を通って各帯状シートが引き出されるよう構成することができる。
【００１５】
かかる構成によれば、各帯状シートの本体からの引き出し位置の高さを揃えることができる。
【発明の効果】
【００１６】
以上の如く、本発明は、柔軟性を有する帯状シートの末端部に係止構造を有し、引き出された状態でその上に物品を配列可能な長尺引き出し体と、帯状シートの基端部を固定し、帯状シートを引き出し自在に巻き取るローラと、ローラ及び巻き取った帯状シートを収容するための本体とを備えることにより、電力を要せず、しかも、簡単な構成にして作動が確実な物品前出し具及び物品配列棚を提供することができる。
【図面の簡単な説明】
【００１７】
【図１】本実施形態に係る物品前出し具を棚板の手前側の端縁部に装着して物品配列棚を形成した状態の斜視図を示す。
【図２】同側面図を示す。
【図３】同物品前出し具であって、一対の帯状シートが本体内に巻き取り収容された状態の斜視図を示す。
【図４】同物品前出し具であって、一方の帯状シートが引き出された状態の斜視図を示す。
【図５】同物品前出し具であって、他方の帯状シートが引き出された状態の斜視図を示す。
【図６】同物品前出し具の断面側面図を示す。
【図７】同物品前出し具の断面平面図を示す。
【図８】同物品前出し具におけるローラの駆動力を調整する駆動力調整機構であって、（ａ）は、概略構成の説明図、（ｂ）は、駆動力調整機構による駆動力の調整原理を概念的に示した概略特性図である。
【図９】同物品前出し具を棚板の手前側の上面部に磁着により固定した状態の側面図を示す。
【発明を実施するための形態】
【００１８】
以下、本発明に係る物品前出し具及び物品配列棚の一実施形態について、図面を参酌しつつ説明する。図１は、本実施形態に係る物品前出し具１を棚板Ｘの手前側に装着して物品配列棚を形成した状態の斜視図を示し、図２は、その側面図を示す。図１及び図２に示す如く、物品前出し具１は、クランプ構造をなす装着部３を介して棚板Ｘ（の前端縁）に着脱自在に装着され、奥行方向Ｙに配列された物品Ｚ，…の手前側の物品Ｚ１を取り上げると、残った物品Ｙ，…の配列が手前側に移動するようになっており、複数の物品前出し具１，…が棚板Ｘの手前側で横並びに複数配置されて（図１では一つしか図示していない）、全体として物品配列棚を形成する。
【００１９】
より詳しくは、棚板Ｘの上には、柔軟性を有する帯状シート５の末端部に係止体６が取り付けられた長尺引き出し体４が本体２から奥行方向Ｙに引き出され、この長尺引き出し体４の上に複数の物品Ｚ，…が奥行方向Ｙに沿って一列に配列される。そして、後に詳述するが、帯状シート５を巻き取るためのローラが本体２内に配置されると共に、該ローラに対してコイルバネからなるバネの付勢力を駆動力とする駆動手段が設けられて、帯状シート５に対して本体２内に巻き取る方向の力が常時付勢されるようになっている。従って、帯状シート５の巻き取り方向の移動に伴って手前側に移動する係止体６が物品Ｚ，…の配列を手前側に移動させ、そして、手前側の物品Ｚ１が本体２に当接することにより、帯状シート５のそれ以上の巻き取りが規制され、その状態が維持される。また、手前側の物品Ｚ１を取り上げると、本体２と物品Ｚ，…との間に空きスペースが発生するが、長尺引き出し体４は、この空きスペースを詰めるべく、取り上げた物品Ｚ１の寸法分だけ手前側に移動し、これに伴い、残った物品Ｚ，…の配列を手前側に移動させる。従って、物品Ｚ，…の配列は常に手前側に寄せられた状態であり、そのため、常に手前側から物品Ｚを取り上げることができる。尚、図１及び図２では、物品Ｚの配列数を四つにしているが、これは図面作成の便宜上であって、実際はもっと多くの物品Ｚ，…を配列させることができるだけの長尺引き出し体４の長さとなっている。
【００２０】
ここで、図１に示す如く、長尺引き出し体４は、左右一対設けられ、本体２の幅方向右半分に出退自在に収容される右側の長尺引き出し体４と、本体２の幅方向左半分に出退自在に収容される左側の長尺引き出し体４とからなっている。各長尺引き出し体４は、棚板Ｘの上に引き出されると、幅方向に僅かな間隔を有して並列した状態となり、それぞれが物品Ｚ，…を奥行方向Ｙに配列するために独立して用いられる。
【００２１】
即ち、物品前出し具１は、長尺引き出し体４の上に物品Ｚ，…が載置されていないために各帯状シート５が完全に巻き取られて各係止体６が本体２側に最接近した図３に示す状態から、図４に示す如く、右側の長尺引き出し体４のみを引き出したり、図５に示す如く、左側の長尺引き出し体４のみを引き出すことができるようになっている。
【００２２】
尚、帯状シート５は、特に材質は限定されないが、棚板Ｘとの摩擦が少なく、且つ、巻き取りやすい柔軟性を有するテフロン（登録商標）等の素材や、それをコーティングした他の素材を用いることができる。また、物品配列棚に食品を配列する場合においては、抗菌性や耐菌性のある素材（例えばＰＥＴ等のポリエステル）を用いることが好ましい。
【００２３】
図６は、物品前出し具１を縦方向に切断した縦断面図（断面側面図）を示す。図１，２，６に示す如く、本体２は、幅方向に筒状となっているハウジング２ａと、該ハウジング２ａの両端開口に嵌合して各開口を塞ぐカバー２ｂとを備える。ハウジング２ａは、例えば幅方向に押し出し成形されたアルミ成型品であり、カバー２ｂは、樹脂成型品であり、カバー２ｂに形成された複数の貫通孔（図示せず）に通されたビス（図示せず）をハウジング２ａの雌ネジ（図示せず）に螺入することにより、各カバー２ｂがハウジング２ａに取り付けられる。
【００２４】
ハウジング２ａに取り付けられて平行となる一対のカバー２ｂ，２ｂには、右側の長尺引き出し体４の帯状シート５を引き出し自在に巻き取るローラ７及び左側の長尺引き出し体４の帯状シート５を引き出し自在に巻き取るローラ７のそれぞれを回転自在に支持すべく、各ローラ７の（端面から軸方向に突出する）軸部７ａが挿通される軸孔２ｃが形成されている。
【００２５】
該軸孔２ｃは、カバー２ｂの上部側と下部側とに一対形成され、従って、本体２内では、一対のローラ７，７が平行状態で上下方向に配置される。上下のローラ７，７は、同じ構成のものを左右が逆になるように配置し、右側の長尺引き出し体４の帯状シート５が、一方のローラ７（例えば上側のローラ７）であって、幅方向右半分に巻き取られると共に、左側の長尺引き出し体４の帯状シート５が、他方のローラ７（例えば下側のローラ７）であって、幅方向左半分に巻き取られる。このように、一対のローラ７，７は、一方の長尺引き出し体４の帯状シート５と他方の長尺引き出し体４の帯状シート５をそれぞれ幅方向で重ならない位置で巻き取るようにしているので、一方の長尺引き出し体４と他方の長尺引き出し体４とが干渉することはない。
【００２６】
次に、ローラ７の詳細な構成について説明する。図７は、物品前出し具１を横方向に切断した横断面図（断面平面図）を示す。図７に示す如く、帯状シート５は、基端部がローラパイプ７０に接続される。また、ローラパイプ７０の軸方向一端部に設けられたローラエンド７１が（カバー２ｂの軸孔２ｃに挿通されて）カバー２ｂに回転自在に支持される一方、ローラパイプ７０の軸方向他端部に設けられたローテータ７２がステータ７３に回転自在に支持される。ステータ７３は、インナーパイプ７４及びピロー７５と一体に組み立てられている。ピロー７５は、ワッシャ７６及びプッシュナット７７を介してローラエンド７１に回転自在に支持されている。
【００２７】
また、ステータ７３は、シャフトホルダ７８及び駆動力調整ダイヤル７９間で非円断面形状（本実施形態では角断面形状）の嵌合状態を形成しており、回転時にはシャフトホルダ７８及び駆動力調整ダイヤル７９と一体に回転するようになっている。また、駆動力調整ダイヤル７９は、（カバー２ｂの軸孔２ｃに挿通されて）カバー２ｂに回転自在に支持されている。しかし、通常時には、シャフトホルダ７８の爪部７８ａを介して伝達される係止バネ８０の付勢力によって、駆動力調整ダイヤル７９がカバー２ｂに固定されており、強い力を加えない限り、駆動力調整ダイヤル７９は回転しないようになっている。
【００２８】
さらに、ローラパイプ７０の内周面側には、ローラパイプ７０を回転させる駆動手段として、コイルバネからなる駆動バネ８１が設けられており、駆動バネ８１の一端がローテータ７２に接続されると共に、駆動バネ８１の他端がステータ７３と一体に組み立てられたピロー７５に接続される。従って、駆動バネ８１によってローラ７に生じる駆動力は、ローテータ７２とステータ７３との間の相対的なねじれによって発生する。
【００２９】
尚、上記ローラ７の説明は、上側のローラ７、下側のローラ７の何れに対するものでもある。但し、各駆動力調整ダイヤル７９を一方のカバー２ｂに配置して、駆動力調整ダイヤル７９，７９同士が干渉するといけないので（逆に言えば、干渉を回避するために本体２の高さサイズが大きくなるようではいけないので）、一方のローラ７を他方のローラ７に対して（左右が逆になるよう）１８０度回転させた配置とし、一方のカバー２ｂに駆動力調整ダイヤル７９を一つ配置し、他方のカバー２ｂにもう一つの駆動力調整ダイヤル７９を配置するようにしている（図１参照）。
【００３０】
図６に戻り、一方の長尺引き出し体４の帯状シート５の巻き取り方向と他方の長尺引き出し体４の帯状シート５の巻き取り方向は逆となっている。より詳しくは、帯状シート５がローラ７から引き離される方向（ローラ７の接線方向）ができるだけ物品Ｚ，…の配列方向（奥行方向Ｙ）と平行になるような巻き取り方向であり、具体的には、上側のローラ７では、帯状シート５が時計回りに巻き取られる一方、下側のローラ７では、帯状シート５が反時計回りに巻き取られ、各帯状シート５は、ローラ７，７間を通される。
【００３１】
本体２のハウジング２ａには、奥行方向Ｙに開口する開口部２ｄが形成され、ローラ７，７間を通される各帯状シート５は、開口部２ｄを通って本体２外に引き出される。開口部２ｄは、ハウジング２ａを押し出し成形で形成する場合は、その押し出し成形によって形成されるもので、幅方向に沿って長尺な開口部となっている。開口部２ｄの上下端部の端縁は、帯状シート５が接触したり、擦れたりしても帯状シート５が傷付かないよう滑らかな円弧状になっている。
【００３２】
開口部２ｄは、ローラ７，７間を通される各帯状シート５が円滑に引き出されるよう、本体２の背面側でローラ７，７間を臨む位置に形成されているが、帯状シート５の上に物品Ｚ，…が配列されて帯状シート５が棚板Ｘ側に押し下げられる関係上、開口部２ｄの上下方向中間位置をローラ７，７間の中間位置よりも低い位置に設定している。そして、開口部２ｄの下端部は、奥行方向Ｙに傾斜しており、引き出された帯状シート５の上に物品Ｚ，…が配列されると、各帯状シート５は下端部の端縁に接触した状態となる（図２参照）。従って、帯状シート５が完全に巻き取られた際に、係止体６が本体２内に浸入してローラ７と干渉するのを防止することができる。
【００３３】
開口部２ｄの下端部のさらに下方には、クランプ構造をなす上記した装着部３が形成されている。該装着部３は、上下一対の突片３ａ，３ａを備え、該突片３ａ，３ａは、ハウジング２ａを押し出し成形で形成する場合は、その押し出し成形によって形成されるもので、幅方向に沿って長尺な突片となっている。突片３ａ，３ａの間隔は、棚板Ｘの厚みよりも僅かに狭くなっており、突片３ａ，３ａ間に棚板Ｘ（の前端縁部）が嵌入されることにより、物品前出し具１を棚板Ｘに装着することができる。
【００３４】
係止体６は、水平部６ａと垂直部６ｂとからなる。水平部６ａの本体２側の上面には、逆Ｔ字状の凹部６ｃが形成され、該凹部６ｃの水平部分に嵌入される断面形状の棒状体６ｄに帯状シート５の末端部を巻回したものを凹部６ｃに嵌入することにより、帯状シート５と係止体６が一体となり、長尺引き出し体４が形成される。また、水平部６ａの上面には、幅方向に延びる突条６ｅが物品Ｚ，…の配列方向に所定間隔を有して複数形成されている。
【００３５】
物品前出し具１の構成に関する説明は以上のとおりであり、次に、ローラ７の駆動力の調整方法について説明する。図８は、ローラ７の駆動力（帯状シート５の巻き取り力）を調整する駆動力調整機構であって、（ａ）は、概略構成の説明図、（ｂ）は、駆動力調整機構による駆動力の調整原理を概念的に示した概略特性図である。（ａ）は図７とは異なり、模式的に表している。通常時は、駆動力調整ダイヤル７９が係止バネ８０の付勢力によりカバー２ｂに回転不能に固定されているため、駆動力調整ダイヤル７９と一体にのみ回転可能なステータ７３、インナーパイプ７４及びピロー７５からなる組立体は回転不能な状態にある。尚、ローラパイプ７０、ローラエンド７１及びローテータ７２からなる組立体は回転可能であり、長尺引き出し体４が引き出されてこれらが回転することにより、駆動バネ８１の蓄勢状態が変化し、長尺引き出し体４の帯状シート５に対して本体２内に巻き取る方向の力が発生する。
【００３６】
そして、ローラ７の駆動力を駆動力調整ダイヤル７９を係止バネ８０の付勢力に抗して回転すると、シャフトホルダ７８を介してステータ７３が回転する。従って、ステータ７３を回転させて駆動バネ８１の蓄勢状態を調整することにより、ローラ７の駆動力（帯状シート５の巻き取り力）を調整することができる。
【００３７】
ここで、長尺引き出し体４の引き出し量をｘ、ローラ７の駆動力をｙとしたとき、駆動バネ８１の弾性力を示す特性関数がｙ＝ｆ（ｘ）と表されるものとする。バネ弾性の性質上、帯状シート５がローラ７に巻き取られる長さが最大となるとき（ｘ＝０のとき）にｙは最小となるが、このローラ７の駆動力の最小値が小さ過ぎると、長尺引き出し体４の上に配列されている物品Ｚ，…の配列数が少なくなった際に、物品前送り機能が働かなくなってしまう。そこで、ｘ＝０の場合にも物品前送り機能が働くようにローラ７の駆動力を調整する必要がある。例えばｘ＝０の状態から、長尺引き出し体４の引き出し量ｘ０に相当する回転数だけ、駆動力調整ダイヤル７９を回転させれば、ローラ７の駆動力の最小値をｆ（ｘ０）に設定することができる。
【００３８】
但し、ローラ７の駆動力の最小値は、長尺引き出し体４の上に載置される物品Ｚ，…の重さや底面積等に応じた適切な値に設定する必要がある。例えば、ある物品Ｚについてローラ７の駆動力の最小値をｆ（ｘ０）に設定した場合、対象物品をより重い物品に変更した際には、ローラ７の駆動力の最小値を、より大きな値、例えばｆ（ｘ１）に再設定しなければならない。このような場合には、駆動力調整ダイヤル７９をさらに大きく回転させて、初期の状態（関係式：ｙ＝ｆ（ｘ））から長尺引き出し体４の引き出し量ｘ１に相当する回転数だけ回転させた状態とすることによって、駆動力を再調整することが可能である。このようにして、長尺引き出し体４の上の物品Ｚ，…がほとんど取り去られた状態においても十分な駆動力を保持するように駆動力を調整することができる。
【００３９】
以上のように、本実施形態に係る物品前出し具１は、長尺引き出し体４及び該長尺引き出し体４の帯状シート５を巻き取るためのローラ７の対が二組設けられ、帯状シート５に対して巻き取り方向の力（帯状シート５の巻き取り力）を付勢する機構（駆動手段）が各ローラ７に独立して設けられているため、両方の長尺引き出し体４を使用する場合は、右側の長尺引き出し体４の上に配列される物品Ｚ，…と左側の長尺引き出し体４の上に配列される物品Ｚ，…とで配列数に違いが生じるようであっても、それぞれ独立的に物品前送り機能を働かせることができる。また、その上で、帯状シート５に対して付勢される巻き取り方向の力を調整する機構（駆動力調整機構）が各ローラ７に独立して設けられているため、右側の長尺引き出し体４の上に配列される物品Ｚ，…と左側の長尺引き出し体４の上に配列される物品Ｚ，…とで重さ等に違いが生じるようであっても、それぞれ独立的に適正な力で物品前送り機能を働かせることができる。
【００４０】
また、本実施形態に係る物品前出し具１は、缶飲料やペットボトル飲料といった底面積が比較的小さいサイズの対象物品に応じて長尺引き出し体４の幅が設定されているため、二つの物品前送り機能を（一つの本体２に）集約的に備えることにより、小型化（特に幅サイズの短縮化）を図ることができる。比較的小さいサイズの対象物品に応じた物品前送り機能を一つだけを備える物品前出し具の場合、物品前出し具の幅サイズが長尺引き出し体の幅よりも幾分か大きくなるため、物品前出し具を密に並列配置しても、物品の配列方向と直交する方向において長尺引き出し体間の間隔がどうしても開いてしまい（物品の配列方向と直交する方向における長尺引き出し体間の間隔が本実施形態に係る物品前出し具１の長尺引き出し体４，４間の間隔よりも大きくなってしまい）、物品配列棚における物品の収容率が悪くなるが、本実施形態に係る物品前出し具１は、二つの物品前送り機能を集約的に備えることで、物品Ｚ，…の配列方向と直交する方向における長尺引き出し体４，４間の間隔を狭くすることができ、その分、物品配列棚における物品Ｚ，…の収容率を向上させることができる。
【００４１】
また、本実施形態に係る物品前出し具１は、ローラ７，７を上下に配置することにより、奥行方向Ｙのサイズを短縮化することができるため、物品陳列棚の手前側に配置しても目立ちにくく、その分、違和感が無く、従って、物品陳列棚のデザインを全体的に調和させることができる。
【００４２】
尚、本発明は、上記実施形態に限定されるものではなく、本発明の要旨を逸脱しない範囲で種々の変更が可能である。
【００４３】
例えば、上記実施形態においては、長尺引き出し体４及びローラ７の対を二組設けているが、この対は二組に限定されず、三組あるいはそれよりも多くてもよい。二組であれば、本体２における幅領域を幅方向で二分割し、各区画に長尺引き出し体４を配置するが、三組にする場合は、三つのローラを、例えば、上下二つともう一つはその二つのローラの手前側に配置して各ローラが側面視にて三角形の各頂点となるように配置とし、本体２における幅領域を幅方向で三分割し、各区画に長尺引き出し体４を配置すればよい。
【００４４】
また、上記実施形態においては、一つのローラ７に一つの長尺引き出し体４を設ける、言い換えれば、各長尺引き出し体４にローラ７を設けるようにしているが、ローラを複数設けると共に、少なくとも一つのローラ７に複数の長尺引き出し体を設けるようにしてもよい。
【００４５】
また、上記実施形態においては、各帯状シート５を本体２内から外部に送り出すための一つの開口部２ｄで共用しているが、これに限定されず、帯状シート毎に開口部を設けるようにしてもよい。この場合、幅方向に長い開口部が間隔を有して上下に複数形成されることとなる。
【００４６】
また、上記実施形態においては、水平な棚板Ｘに対して長尺引き出し体４を水平方向に引き出すようにしているが、手前側が低くなるように傾斜する棚板に物品前出し具を取り付け、長尺引き出し体を奥行方向に向かって斜め上方に引き出すような物品配列棚であってもよい。
【００４７】
また、上記実施形態においては、一対の突片３ａ，３ａからなる装着部３を用いて棚板Ｘに取り付けるようにしているが、棚板Ｘが金属等の磁性体である場合には、図９に示す如く、本体２の下面に取りつけられた磁石（磁石シート）８で物品前出し具１を磁着により棚板Ｘに固定することができる。この場合、係止体６が不使用の装着部３に引っ掛からないよう、装着部３にスロープ部材９を取り付け、帯状シート５及び係止体６がスロープ部材９の上面を駈け上がるようにするのが好ましい。
【００４８】
また、上記実施形態においては、物品Ｚ，…の配列を手前側に移動させる際に物品Ｚを係止する係止体６が略Ｌ字状になっているが、係止体の形状はこれに限定されず、要は、物品の配列を手前側に移動させる際に物品を確実に係止して、長尺引き出し体が物品の配列から抜けてしまわないようなものであればよい。従って、例えば幅方向に長い丸棒を帯状シートの末端部に設けるものであってもよい。
【００４９】
また、上記実施形態においては、手前側の物品Ｚ１を本体２に当接させるようにしているが、高さ寸法が大きい物品のような場合、物品が本体２よりも前方に倒れて脱落してしまうおそれがある場合は、本体２の背面側に設けた装着部２ｅ（図１及び図２参照）に高さ延長板（図示しない）を取り付けるようにしてもよい。
【符号の説明】
【００５０】
１…物品前出し部、２…本体、２ａ…ハウジング、２ｂ…カバー、２ｃ…軸孔、２ｄ…開口部、３…装着部、３ａ…突片、４…長尺引き出し体、５…帯状シート、６…係止体、６ａ…水平部、６ｂ…垂直部、６ｃ…凹部、６ｄ…棒状体、６ｅ…突条、７…ローラ、７ａ…軸部、７０…ローラパイプ、７１…ローラエンド、７２…ローテータ、７３…ステータ、７４…インナーパイプ、７５…ピロー、７６…ワッシャ、７７…プッシュナット、７８…シャフトホルダ、７８ａ…爪部、７９…駆動力調整ダイヤル、８０…係止バネ、８１…駆動バネ、８…磁石、９…スロープ部材、Ｘ…棚板、Ｙ…奥行方向、Ｚ…物品、Ｚ１…手前側の物品
【図１】
0005427573.tif 000002
【図２】
0005427573.tif 000003
【図３】
0005427573.tif 000004
【図４】
0005427573.tif 000005
【図５】
0005427573.tif 000006
【図６】
0005427573.tif 000007
【図７】
0005427573.tif 000008
【図８】
0005427573.tif 000009
【図９】
0005427573.tif 000010